(57)【要約】      （修正有）【課題】マイク使用時における飛沫拡散の抑制効果を高めることができる飛沫感染抑制装置を提供する。【解決手段】飛沫感染抑制装置１０は、飛沫の拡散を防止する飛沫防止部１２０と、マイクが挿入されるマイク挿入部１１０を備える。飛沫防止部１２０は、扇形状のシートであり、扇形状のシートにおける半径部分を含む一端と他端とが固定可能に構成される。マイク挿入部１１０は、飛沫防止部１２０の中心部分に飛沫防止部１２０と同心円状に設けられ、飛沫防止部１２０と中心角が等しい扇形状の開口または飛沫防止部１２０の中心から放射状に設けられた切り込みであり、扇形状のシートにおける、扇形状の半径部分を含む一端と他端とが固定された状態において、マイクのヘッド部分は貫通しないものの、マイクの持ち手部分が貫通する大きさである。【選択図】図１
0003227901.tif 000002
【実用新案登録請求の範囲】
【請求項１】
飛沫の拡散を防止する飛沫拡散部と、
マイクが挿入される挿入部と、を備え、
前記飛沫拡散部は、扇形状のシートであり、前記扇形状のシートにおける、該扇形状の半径部分を含む一端と他端とが固定可能に構成され、
前記挿入部は、
前記飛沫拡散部の中心部分に前記飛沫拡散部と同心円状に設けられ、前記飛沫拡散部と中心角の等しい扇形状の開口または前記飛沫拡散部の中心から放射状に設けられた切り込みであり、
前記扇形状のシートにおける、該扇形状の半径部分を含む一端と他端とが固定された状態において、前記マイクのヘッド部分は貫通しないものの、前記マイクの持ち手部分が貫通する大きさである、
ことを特徴とする飛沫感染抑制装置。
【請求項２】
前記飛沫拡散部は、固定部とのりしろ部とをさらに備え、
前記固定部は、前記扇形状のシートの一端に設けられ、
前記のりしろ部は、前記扇形状のシートの他端に設けられ、
前記のりしろ部と前記固定部とが重畳して前記扇形状のシートの一端と他端とが固定される、
ことを特徴とする請求項１に記載の飛沫感染抑制装置。
【請求項３】
前記飛沫拡散部は、透過性を有し、前記中心角が３３０度である、
ことを特徴とする請求項１または２に記載の飛沫感染抑制装置。
【考案の詳細な説明】
【技術分野】
【０００１】
本考案は、飛沫感染抑制装置に関するものである。
【背景技術】
【０００２】
近年、新型ウィルス感染症の流行もあり、様々な物にウィルスや菌が付着しているかも知れないという不安が広まっている。感染症には、接触感染の他、飛沫感染といった感染ルートがあり、新型ウィルス感染症を抑制するための様々な対策が提案されている。
【０００３】
例えば、カラオケボックスやスナック等において使用されるマイクは、不特定多数の人が使用するため、衛生面において問題がある。そのため、清潔に保つことが可能なマイクが提案されている（例えば特許文献１）。
【先行技術文献】
【特許文献】
【０００４】
【特許文献１】実用新案登録第３２２５９６７号公報
【考案の概要】
【考案が解決しようとする課題】
【０００５】
しかしながら、マイクのヘッド部分に口を近づけて歌う人や、口を離して歌う人など、人それぞれ歌い方は異なり、また、多量の唾液等を飛ばす人もおり、特許文献１に記載のマイクでは、飛沫感染を抑制するという面で改善の余地があった。
【０００６】
本考案は、上記実情に鑑みてなされたものであり、マイク使用時における飛沫拡散の抑制効果を高めることができる飛沫感染抑制装置の提供を目的とする。
【課題を解決するための手段】
【０００７】
上記目的を達成するため、本考案にかかる飛沫感染抑制装置は、
飛沫の拡散を防止する飛沫拡散部と、
マイクが挿入される挿入部と、を備え、
前記飛沫拡散部は、扇形状のシートであり、前記扇形状のシートにおける、該扇形状の半径部分を含む一端と他端とが固定可能に構成され、
前記挿入部は、
前記飛沫拡散部の中心部分に前記飛沫拡散部と同心円状に設けられ、前記飛沫拡散部と中心角の等しい扇形状の開口または前記飛沫拡散部の中心から放射状に設けられた切り込みであり、
前記扇形状のシートにおける、該扇形状の半径部分を含む一端と他端とが固定された状態において、前記マイクのヘッド部分は貫通しないものの、前記マイクの持ち手部分が貫通する大きさである、
ことを特徴とする。
【考案の効果】
【０００８】
上記構成によれば、歌い手による飛沫拡散の抑制効果を高めることができる。
【０００９】
また、前記飛沫拡散部は、固定部とのりしろ部とをさらに備え、
前記固定部は、前記扇形状のシートの一端に設けられ、
前記のりしろ部は、前記扇形状のシートの他端に設けられ、
前記のりしろ部と前記固定部とが重畳して前記扇形状のシートの一端と他端とが固定される、
ようにしてもよい。
【００１０】
また、前記飛沫拡散部は、透過性を有し、前記中心角が３３０度である、
ようにしてもよい。
【図面の簡単な説明】
【００１１】
【図１】この実施の形態における飛沫感染抑制装置の平面図である。
【図２】固定部同士を固定させた状態を示す図である。
【図３】マイクを挿入した状態を示す図である。
【図４】変形例における飛沫感染抑制装置の平面図である。
【考案を実施するための形態】
【００１２】
以下、本実施の形態にかかる飛沫感染抑制装置について図面を参照しながら説明する。なお、各図において、同一構成要素には同一符号を付す。
【００１３】
図１は、飛沫感染抑制装置１０の平面図である。図示するように、飛沫感染抑制装置１０は、中心Ｘを中心とした飛沫防止部１２０と同心円状に配置されたマイク挿入部１１０とによりバームクーヘン状に構成されるとともに、切り込み角１５０（例えば３０度）の切り込みがなされている。図１に示すように、飛沫感染抑制装置１０は、マイク挿入部１１０と、飛沫防止部１２０と、固定部１３０と、のりしろ部１４０と、を備えている。当該飛沫感染抑制装置１０は、詳しくは後述するが、のりしろ部１４０を固定部１３０に固定させた状態で、図３に示すように、マイク２０をマイク挿入部１１０に挿入して使用する。なお、図１において実線で示された側を表面、破線で示された側を裏面とする。
【００１４】
マイク挿入部１１０は、飛沫防止部１２０の中心部分に設けられ、マイクを挿入するための開口である。マイク挿入部１１０は、中心Ｘを中心とした３３０度の扇形の開口であり、半径が１７ｍｍとなっている。なお、当該マイク挿入部１１０の半径の大きさは、挿入するマイク２０の持ち手部分２１０とヘッド部分２２０の境目部分２３０の半径の大きさに合わせて変更可能であってよい。また、マイク挿入部１１０の中心角は、飛沫防止部１２０の中心角と同様である。
【００１５】
飛沫防止部１２０は、歌い手による飛沫拡散を防止するためのシールド部であり、厚さ０．２５ｍｍ〜０．３ｍｍのポリプロピレンやポリエチレンテレフタラートなどのシートで構成される。飛沫防止部１２０は、マイク挿入部１１０と同様、中心Ｘを中心とした３３０度の扇形であり、透明や半透明のシートである。通常、歌い手はモニターに表示される歌詞を見ながら歌うため、当該飛沫防止部１２０の透過性が高いほど（透明度が高いほど）、飛沫防止部１２０が歌詞の視認の妨げとなることを防止することができる。飛沫防止部１２０における中心Ｘから外周までの半径は、１２５ｍｍとなっている。なお、当該半径の大きさは、歌い手の顔の大きさによって様々な大きさであってよい。なお、図示するように、飛沫防止部１２０の中央部分にはマイク挿入部１１０が設けられているため、これにより、当該飛沫感染抑制装置１０がバームクーヘン状に構成される。
【００１６】
固定部１３０は、図示するように、飛沫防止部１２０における一方の端部裏面と、飛沫防止部１２０の他方の端部に設けられたのりしろ部１４０の表面に設けられており、固定部１３０同士がマジックテープ（登録商標）により固定されるものとなっている。なお、固定部１３０は、マジックテープ（登録商標）に限られず、磁石であってもよい。また、飛沫防止部１２０における一方の端部裏面とのりしろ部１４０の表面とが固定できればよく、両面テープやその他の接着剤、ホッチキス（登録商標）によって接着または固定されてもよい。すなわち、飛沫防止部１２０の一端と、当該飛沫防止部１２０の他端であるのりしろ部１４０とが固定されれば、固定部１３０は、任意であってよい。
【００１７】
のりしろ部１４は、表面に固定部１３０を有している。のりしろ部１４は、表面に設けられた固定部１３０を、飛沫防止部１２０における一方の端部裏面に設けられた固定部１３０と固定するために設けられている。上述したように、この実施の形態における固定部１３０同士は、マジックテープ（登録商標）により固定されるため、固定部１３０同士を一旦固定した後も取り外しや再度の固定が可能となっている。したがって、当該飛沫感染抑制装置１０の使用後は、マジックテープ（登録商標）による固定を外し、図１に示すように平らな状態で洗浄することが可能となる。そのため、図２に示すように、固定部１３０同士が固定された状態で洗浄する場合よりも洗浄が容易となる。
【００１８】
図２は、飛沫感染抑制装置１０の固定部１３０同士を固定させた状態を示す図である。飛沫感染抑制装置１０は、図２に示すように固定部１３０同士が固定された状態において、マイクをマイク挿入部１１０に挿入して使用する。
【００１９】
図３は、飛沫感染抑制装置１０にマイク２０を挿入した状態を示す図である。図３に示すように、マイク２０の持ち手部分２１０とヘッド部分２２０の境目部分２３０が当該飛沫感染抑制装置１０のマイク挿入部１１０に引っかかることで、マイク２０が当該飛沫感染抑制装置１０から抜け落ちてしまうことがないようになっている。また、図示するように、飛沫感染抑制装置１０の飛沫防止部１２０が、マイク２０の境目部分２３０からヘッド部分２２０にかけて広がって構成されていることから、ヘッド部分２２０に向かって発声された音声とともに飛び散る飛沫を当該飛沫防止部１２０にて受け止めることができる。
【００２０】
また、この実施の形態では、図示するように、飛沫感染抑制装置１０の飛沫防止部１２０が、マイク２０の境目部分２３０からヘッド部分２２０にかけて広がって構成されていることから、ヘッド部分２２０と飛沫防止部１２０との間に一定の距離が保たれている。より具体的には、飛沫防止部１２０上部の外周の半径（図３に示す半径Ｒ）とヘッド部分２２０の半径（図３に示す半径ｒ）との差が大きくなっている。そのため、ヘッド部分２２０と飛沫防止部１２０との距離が近い場合、すなわち飛沫防止部１２０上部に構成される円の外周の半径（図３に示す半径Ｒ）とヘッド部分２２０の半径（図３に示す半径ｒ）との差が大きくない場合と比較して、飛沫防止部１２０によって歌い手による音声がハウリングしてしまうことを防止することができる。また、当該飛沫感染抑制装置１０は、飛沫防止部１２０の素材と同様の素材が用いられているクリアファイルなどのシートを、図１に示す形状にカットすることで作成することができるため、安価に量産することができる。
【００２１】
（変形例）
以上、本考案の実施の形態を説明したが、本考案は、上記の実施の形態に限定されず、様々な変形及び応用が可能である。例えば、飛沫感染抑制装置１０は、上記実施の形態で示した全ての技術的特徴を備えるものでなくてもよく、従来技術における少なくとも１つの課題を解決できるように、上記実施の形態で説明した一部の構成を備えたものであってもよい。また、下記の変形例それぞれについて、少なくとも一部を組み合わせてもよい。
【００２２】
上記実施の形態では、図１に示すように、切り込み角１５０が３０度である例、すなわち、同心円状に構成されるマイク挿入部１１０と飛沫防止部１２０とがそれぞれ３３０度の扇形である例を示したが、これは一例である。マイク挿入部１１０と飛沫防止部１２０を構成する角度は、それぞれ同一の角度であればよく、例えば３００度〜３４５度の範囲内であってもよい。ヘッド部分２２０に向かって発声された音声とともに飛び散る飛沫を受け止めることができ、かつ歌い手による音声がハウリングしてしまうことを防止することができる角度であることが望ましい。
【００２３】
また、上記実施の形態では、飛沫防止部１２０における中心Ｘから外周までの半径が１２５ｍｍであり、マイク挿入部１１０の半径が１７ｍｍである例を示したが、これは一例である。上述したように、飛沫防止部１２０の半径は、歌い手の顔の大きさなどに応じて異なる値であってよく、また、マイク挿入部１１０の半径については、マイク２０の持ち手部分２１０とヘッド部分２２０の境目部分２３０の半径の大きさに応じて異なる値であってよい。例えば、飛沫防止部１２０の半径が１２５ｍｍで、マイク挿入部１１０の半径がマイクの種類に応じて複数用意されていてもよい。これによれば、歌い手が使用を希望するマイクの種類に応じた飛沫感染抑制装置１０をセットすることができる。また、マイク挿入部１１０の形状は、例えば、飛沫感染抑制装置１０の固定部１３０同士を固定させた状態において、円形ではなく、四角形や楕円形となる形状であってもよい。マイク挿入部１１０の形状は、持ち手部分２１０が貫通するものの、境目部分２３０が引っかかり、マイク２０のヘッド部分２２０が貫通しない形状となっていればよい。また、飛沫防止部１２０についても、固定部１３０同士を固定させた状態において楕円形となる形状であってもよい。
【００２４】
また、上記実施の形態では、マイク挿入部１１０が飛沫防止部１２０と同心円状の開口である例を示したが、これは一例である。マイク挿入部１１０は開口でなくてもよく、例えば、図４に示すように、飛沫防止部１２０の内周から中心Ｘ方向に複数設けられた切り込み部１６０であってもよい。これによれば、マイク挿入部１１０にマイクを挿入した場合における安定性を強化することができる。
【００２５】
また、上記実施の形態では、飛沫防止部１２０が厚さ０．２５ｍｍ〜０．３ｍｍのポリプロピレンやポリエチレンテレフタラートなどのシートで構成される例を示したが、これに限定されず、固定部１３０同士をマジックテープ（登録商標）や磁石により固定可能であるとともに、一旦固定した後も取り外すことで固定する前の形状（図１に示す平らな形状）に戻る素材であれば、任意の素材により構成されてよい。なお、容易に洗浄することを考慮せず、例えば使い捨てで使用するような場合には、飛沫防止部１２０が紙のシートであってもよい。さらに、一旦固定した後も取り外すことで固定する前の形状（図１に示す平らな形状）に戻る素材でなくてもよい。
【００２６】
また、上記実施の形態では、飛沫防止部１２０が、中心Ｘを中心とした円の２つの半径と円弧により囲まれた扇形であり、マイク挿入部１１０が、中心Ｘを中心とした円の２つの半径と円弧により囲まれた扇形であり、それぞれの中心が一致する例を示したが、これは一例である。飛沫防止部１２０における中心とマイク挿入部１１０における中心とは、必ずしも一致しなくてもよい。
【符号の説明】
【００２７】
１０  飛沫感染抑制装置、  ２０  マイク  １１０  マイク挿入部、  １２０  飛沫防止部、  １３０  固定部、  １４０  のりしろ部、  １５０  切り込み角、  １６０  切り込み部、  ２１０  持ち手部分、  ２２０  ヘッド部分、  ２３０  境目部分
【図１】
0003227901.tif 000003
【図２】
0003227901.tif 000004
【図３】
0003227901.tif 000005
【図４】
0003227901.tif 000006